(57)【要約】【課題】携帯端末装置を利用した情報提供システムにおいて、目的地やジャンルを入力しなくても、目的地や施設を検索できるようにする。【解決手段】情報提供サーバ２は、ＧＰＳ機能付きの携帯端末装置から現在位置情報及び検索要求を受けると、ランダム方位決定部２１５で生成したランダムな方位情報と、携帯端末装置の現在位置情報とを用いて、施設ＤＢ２３２にアクセスする。このアクセスにより、携帯端末装置の現在位置に対し、ランダムな方位の所定距離内に存在する施設の施設情報を施設ＤＢ２３２から検索する。検索結果を携帯端末装置へ送信する。【選択図】図２
2011013041.tif 000002
【特許請求の範囲】
【請求項１】
施設情報が記憶されている施設情報記憶部を有し、携帯端末装置からの検索要求に応じて、前記施設情報記憶部の施設情報の検索結果を前記携帯端末装置へ送信する情報提供装置であって、
前記携帯端末装置の現在位置情報を取得する位置情報取得手段と、前記携帯端末装置からの検索要求に応じて、検索方位を決定する検索方位決定手段と、前記位置情報取得手段で取得された現在位置に対し、前記検索方位決定手段で決定された方位の所定距離内に存在する施設の施設情報を前記施設情報記憶部から検索する施設検索手段とを有し、
前記検索方位決定手段は、検索方位をランダムに決定するランダム方位決定手段を有することを特徴とする情報提供装置。
【請求項２】
請求項１に記載された情報提供装置において、
前記携帯端末装置のユーザの個人情報又はそのユーザ及び任意の相手の個人情報を取得する個人情報取得手段を有するとともに、前記検索方位決定手段は、検索方位を前記ユーザ又は前記ユーザ及び任意の相手のラッキーな方位に決定するラッキー方位決定手段を有することを特徴とする情報提供装置。
【請求項３】
請求項１又は２に記載された情報提供装置において、
前記所定距離を可変設定する検索距離設定手段を有することを特徴とする情報提供装置。
【請求項４】
請求項１又は２に記載された情報提供装置において、
前記施設検索手段の検索ジャンルを決定する検索ジャンル決定手段を有することを特徴とする情報提供装置。
【請求項５】
請求項３に記載された情報提供装置において、
前記検索距離設定手段は、前記携帯端末装置の移動手段に応じて、前記所定距離を設定することを特徴とする情報提供装置。
【請求項６】
請求項４に記載された情報提供装置において、
前記検索ジャンル決定手段は、前記ユーザ又は前記ユーザ及び任意の相手のラッキーなジャンルに決定する手段を有することを特徴とする情報提供装置。
【請求項７】
請求項１〜６のいずれかに記載された情報提供装置に対し検索要求を行う手段と、その検索要求に応じた検索結果を受信する手段とを有することを特徴とする携帯端末装置。
【請求項８】
請求項１〜６のいずれかに記載された情報提供装置と、請求項７に記載された携帯端末装置とからなることを特徴とする情報提供システム。
【請求項９】
コンピュータを、請求項１〜６のいずれかに記載された情報提供装置の各手段として機能させるための情報提供プログラム。
【発明の詳細な説明】
【技術分野】
【０００１】
本発明は、情報提供システム及び情報提供プログラムに関し、さらに詳しくは、ユーザに対して施設情報を提供することで、目的地の設定を支援する情報提供システム及び情報提供プログラムに関する。
【背景技術】
【０００２】
近年、携帯電話機、ＰＨＳ（Personal Handyphone System）等の携帯端末装置の性能は飛躍的に向上し、かつ多機能化が進んでいる。特に通話機能の他にデータ通信機能が強化され、ユーザに対してインターネットを介した種々の情報提供サービスが提供されている。ナビゲーションサービスもその１つであり、携帯電話機のユーザに対して、現在地から目的地までの経路案内を提供するサービスが実施されている。
【０００３】
このような携帯電話機に対するナビゲーションサービスに関する発明としては、特許文献１に記載されたナビゲーションシステムがある。このナビゲーションシステムは、ＧＰＳ（Global Positioning System）受信部を内蔵した携帯電話機と、地図サービスセンタとからなり、携帯電話機はＧＰＳ受信部で取得した現在位置情報、電話番号及び探索情報等のデータを地図サービスセンタへ送信し、地図サービスセンタは携帯電話機及び目的地の位置を検出し、適正尺度の地図情報やルート情報及び距離等の地図データを携帯電話機へ送信するようにしたものである。
【０００４】
このようなナビゲーションシステムにおいては、ユーザによる目的地の設定を支援するための手法として、名称検索とジャンル検索がある。名称検索では、目的地の名称をユーザが直接入力して指定する。ジャンル検索では、例えば、画面に表示されている「ドライブ」、「見る・遊ぶ」、「スポーツ」などのジャンルの中から、「見る・遊ぶ」を選択すると、「映画」、「レジャーランド」、「絵画」などが画面に表示され、次いで「レジャーランド」を選択すると、全国のレジャーランドが５０音順に分類されてリスト表示され、そのリストの中から行きたいレジャーランドを選択する（特許文献２参照）。
【０００５】
しかし、上記従来の名称検索、ジャンル検索では、ユーザが目的地やジャンルを入力しなければ、目的地や施設が検索できないという問題がある。
【先行技術文献】
【特許文献】
【０００６】
【特許文献１】特開２００３−２８６６２号公報
【特許文献２】特開２００３−９７９６５号公報
【発明の概要】
【発明が解決しようとする課題】
【０００７】
本発明は、このような問題を解決するためになされたものであり、その目的は、携帯端末装置を利用した情報提供システムにおいて、ユーザが携帯端末装置から目的地やジャンルを入力しなくても、目的地や施設を検索し、ユーザに提示できるようにすることである。
【課題を解決するための手段】
【０００８】
本発明の情報提供装置は、施設情報が記憶されている施設情報記憶部を有し、携帯端末装置からの検索要求に応じて、前記施設情報記憶部の施設情報の検索結果を前記携帯端末装置へ送信する情報提供装置であって、前記携帯端末装置の現在位置情報を取得する位置情報取得手段と、前記携帯端末装置からの検索要求に応じて、検索方位を決定する検索方位決定手段と、前記位置情報取得手段で取得された現在位置に対し、前記検索方位決定手段で決定された方位の所定距離内に存在する施設の施設情報を前記施設情報記憶部から検索する施設検索手段とを有し、前記検索方位決定手段は、検索方位をランダムに決定するランダム方位決定手段を有することを特徴とする情報提供装置である。
本発明の携帯端末装置は、本発明の情報提供装置に対し検索要求を行う手段と、その検索要求に応じた検索結果を受信する手段とを有することを特徴とする携帯端末装置である。
本発明の情報提供システムは、本発明の情報提供装置と、本発明の携帯端末装置とからなることを特徴とする情報提供システムである。
本発明の情報提供プログラムは、コンピュータを、本発明の情報提供装置の各手段として機能させるための情報提供プログラムである。
【０００９】
［作用］
本発明によれば、ユーザが携帯端末装置から情報提供装置に対し検索要求を行うと、情報提供装置は、携帯端末装置の現在位置からランダムな方位の所定距離内に存在する施設、換言すれば携帯端末装置の現在位置からランダムな方位に位置し、かつ所定距離内に位置する領域に存在する施設、の施設情報を検索し、検索結果を携帯端末装置へ送信する。
【発明の効果】
【００１０】
本発明によれば、携帯端末装置を利用した情報提供システムにおいて、ユーザが携帯端末装置から目的地やジャンルを入力しなくても、目的地や施設を検索し、ユーザに提示することができる。
【図面の簡単な説明】
【００１１】
【図１】本発明の実施形態の情報提供システムを示す図である。
【図２】本発明の実施形態の情報提供システムにおける情報提供サーバのブロック図である。
【図３】本発明の実施形態の情報提供システムにおける方位を示す図である。
【図４】本発明の実施形態の情報提供システムにおける携帯端末装置ブロック図である。
【図５】本発明の実施形態の情報提供システムの概略動作を示すフローチャートである。
【図６】図５に示すフローチャートの実行過程で携帯端末装置に表示されるメニュー画面の一例を示す図である。
【図７】図５における情報生成・送信処理の詳細を示すフローチャートである。
【図８】図５に示すフローチャートの実行過程で携帯端末装置に表示される検索結果表示画面の一例を示す図である。
【発明を実施するための形態】
【００１２】
以下、本発明の実施形態について図面を参照して詳細に説明する。
〈情報提供システムの構成〉
本発明の実施形態の情報提供システムは、図１に示すように、インターネットなどのネットワーク１と、ネットワーク１に接続される情報提供サーバ（情報提供装置）２、基地局３経由でネットワーク１に接続される携帯端末装置４からなる。携帯端末装置４は、携帯電話機、ＰＤＡ（Personal Digital Assistant）、ＰＮＤ（Personal Navigation Device）などである。
【００１３】
〈情報提供サーバの構成〉
情報提供サーバ２は、図２に示すように、制御部２１、通信部２２、及び外部記憶装置２３を備えている。
【００１４】
制御部２１はＣＰＵ（Central Processing Unit）２１１、ＲＯＭ（Read Only Memory）２１２、ＲＡＭ（Random Access Memory）２１３、時計２１４、及びランダム方位決定部２１５を含み、この情報提供サーバ２全体の制御などを行う。また、ＣＰＵ２１１は、ＲＯＭ２１２に記憶された制御プログラムをＲＡＭ２１３にロードして実行することで、後述する種々の処理を実現する。
【００１５】
ランダム方位決定部２１５は周囲３６０°を複数に分割した各方位を示す情報をランダムな順序で生成する機能を持っている。図３に周囲３６０°を４５°毎に東、南東、南、南西、西、北西、北、北東に分割した場合を示す。ここで、東は真東の両側２２．５°、計４５°の角度を持つ。他の方位についても同様である。ランダム方位決定部２１５は、例えば、８分割された方位を示す情報が異なる８個のアドレスに格納されているメモリと、その８個のアドレスをランダムな順序で生成する機能を持つアドレス発生器とにより実現することができる。なお、分割数は８より多くてもよいし、少なくてもよい。多くする程、方位を正確に特定することができる。また、分割された各方位の角度は均等でなくてもよい。
【００１６】
通信部２２はネットワーク１を介して携帯端末装置４と通信を行う。外部記憶装置２３はＨＤＤ（ハードディスク装置）からなり、地図画像ＤＢ（データベース）２３１、施設ＤＢ２３２、及び占いＤＢ２３３が設けられている。また、携帯端末装置４へ送信するためのメニュー画面などの画像データが格納されている。
【００１７】
地図画像ＤＢ２３１には、携帯端末装置４へ送信される地図画像を表すデータ（地図画像データ）がベクトルデータ形式で格納されている。なお、地図画像データをベクトルデータ形式に代えて、ビットマップ形式やＪＰＥＧ（Joint Photographic Experts Group）形式などのラスタデータ形式で格納してもよい。この地図画像データには、地形や建物、道路等の形状を表すデータが含まれている。
【００１８】
施設ＤＢ２３２に格納されている施設情報は、地図画像データが表す地図画像に対応した領域に存在する施設の位置を表す施設ポイントと、施設ポイントに関連付けられた施設属性情報とを含む。施設属性情報は、例えば施設ポイントが表す位置に存在する施設の名称及び電話番号を含む。また、施設属性情報は、例えば、対応する施設のジャンル、種類、イベント情報などの記述を含んでもよい。１つの施設ポイントに関連付ける施設属性情報は１つでもよいし、複数でもよい。
【００１９】
占いＤＢ２３３には、既知の占い（西洋占星術、四柱推命、血液型占いなど）に基づいて、個人情報（生年月日、血液型など）に対応した占いの結果を得るためのデータが格納されている。
【００２０】
〈携帯端末装置の構成〉
図４は携帯端末装置４を携帯電話機とした場合のブロック図である。この携帯端末装置４は、主制御部４１と、ＧＰＳ受信機４２と、表示パネル４３と、無線通信部４４と、キー入力部４５とを備えている。
【００２１】
主制御部４１は、携帯端末装置４の各部を制御するためのコントローラであり、ＣＰＵ４１１と、ＲＡＭ４１２と、ＲＯＭ４１３とを備えている。ＣＰＵ２１１は、ＲＯＭ４１３に記憶された制御プログラムをＲＡＭ４１２にロードして実行することで、後述する種々の処理を実現する。
【００２２】
ＧＰＳ受信機４２は、ＧＰＳ衛星から送信された電波を受信する装置である。主制御部４１は、ＧＰＳ受信機４２が受信した電波に基づき現在位置を検出（測位）する。
【００２３】
表示パネル４３は、液晶ディスプレイとこれを駆動する駆動回路とを備えている。主制御部４１は、表示パネル４３を制御することで、地図画像や推奨経路、現在位置などを表示する。表示パネル４３には、液晶ディスプレイに限らず、有機ＥＬディスプレイなど、種々の表示デバイスを採用することができる。
【００２４】
無線通信部４４は、基地局３との間でデータ通信を行うための回路である。無線通信部４４は、基地局３を介して、情報提供サーバ２にアクセスすることができる。
【００２５】
キー入力部４５は、テンキーやカーソルキーなどのボタン群から構成される。ユーザは、これらのボタンを用いることで、携帯端末装置４を使用することができる。
【００２６】
〈情報提供システムの動作〉
以上の構成を有する情報提供システムの概略動作について、図５に示すフローチャートを用いて説明する。このフローチャートにおいて、情報提供サーバ２の処理はＣＰＵ２１１がＲＯＭ２１２に格納されているプログラムを実行することにより行われ、携帯端末装置４の処理はＣＰＵ４１１がＲＯＭ４１３に格納されているプログラムを実行することにより行われる。
【００２７】
まず携帯端末装置４のユーザは、情報提供サーバ２を利用するためのアプリケーションを起動するための操作を行う。この操作に応じて、携帯端末装置４は情報検索サーバ２に接続要求信号を送信する（ステップＳ１）。この接続要求信号には、携帯端末装置４の装置ＩＤが含まれている。
【００２８】
情報提供サーバ２では、通信部２２が接続要求信号を受信し、制御部２１へ送る。制御部２１は、接続要求信号中の携帯端末装置ＩＤを取得してＲＡＭ２１３に記憶するとともに、外部記憶装置２３からメニュー画面の画像データを読み出し、通信部２２から携帯端末装置４へ送る（ステップＳ１１）。
【００２９】
携帯端末装置４では、無線通信部４４がメニュー画面の画像データを受信し、主制御部４１へ送る。主制御部４１は、メニュー画面の画像データを表示パネル４３へ送り、表示させる（ステップＳ２）。
【００３０】
なお、以後、情報提供サーバ２と携帯端末装置４との間の通信に関する動作説明において、特に必要な場合以外は情報提供サーバ２内及び携帯端末装置４内の信号の流れに関する説明を省略する。
【００３１】
図６にメニュー画面の一例を示す。メニュー画面には、ユーザに対し、行き先を検索するメニューの選択を促す文（検索メニューを選択して下さい）と、検索メニューリスト１０１と、ＯＫボタン１０２が表示されている。ユーザがキー入力部４５の所定のキーを押下することで、検索メニューリスト１０１の中から任意のリストを選択した後にＯＫボタン１０２を押すと、選択した検索メニューを表す信号（以下、検索要求）が情報提供サーバ２へ送信される（ステップＳ３）。図６では「ランダムに検索する」が選択されている。このとき、ＧＰＳ受信機４２が検出した現在位置情報が同時に送信される。
【００３２】
情報提供サーバ２は、検索要求及び現在位置情報を受信し、ＲＡＭ２１３に保持する（ステップＳ１２）。次いで、検索要求に応じた検索を実行し、その結果を基に、行き先情報を生成し、携帯端末装置４へ送信する（ステップＳ１３）。携帯端末装置４は、情報提供サーバ２からの行き先情報を受信し、表示パネル４３に表示する（ステップＳ４）。
【００３３】
〈検索要求に応じた検索の詳細〉
図７に図５のＳ１３の詳細を示す。
まず検索要求の内容が「ランダム検索」、「ラッキー方位検索」、「二人の相性から検索」のどれであるかを判断する（ステップＳ１３１）。
【００３４】
判断の結果が「ランダム検索」であった場合は、ランダム方位決定部２１５をスタートさせ、一定時間後にストップさせることで、８分割された方位の一つを示すデータを生成し、検索方位を決定する（ステップＳ１３２）。
【００３５】
次いで、施設ＤＢ２３２にアクセスし、携帯端末装置４の現在位置に対し、Ｓ１３２で決定された検索方位であり、かつ所定距離内に存在する施設を抽出するとともに、抽出した施設を所定の基準で選択する（ステップＳ１３３）。
【００３６】
ここで、所定距離については、携帯端末装置４に表示可能な地図画像の範囲内の所定の値（１ｋｍ、５ｋｍ等）をデフォルトで設定しておく。また、所定の基準による選択としては、過去の検索結果の統計に基づいて、検索数の多い順に一つ以上の所定数選択すること、現在位置から近い順に一つ以上の所定数選択すること、検索ジャンルをランダムに選択すること、お勧めの順に選択すること、等が挙げられる。
【００３７】
次に、前記検索方向を含む地図画像データを地図画像ＤＢ２３１から読み出し、先にステップＳ１３２で選択した方位と、ステップＳ１３３で選択した施設データとともに携帯端末装置４へ送信する（ステップＳ１３４）。
【００３８】
携帯端末装置４はこれらのデータを受信し、表示する。図８に表示画面の一例を示す。なお、この図では便宜上、地図画像を省略した。図示のように、ランダムに決定された検索方位は北西であり、携帯端末装置４の現在位置を表すマーク２０１と、その北西に位置し、かつ所定距離内に位置する場所を示す扇形領域２０２が表示されるとともに、その扇形領域２０２内に存在する施設を表すマーク２０３及び２０４が表示されている。扇形領域２０２は他の領域と異なる色で表示されるので、施設を表すマーク２０３及び２０４が見易くなる。携帯端末装置４のユーザは、キー入力部４５を用いてこれらのマークを指示し、所定の操作を行うことで、目的地に設定することができる。
【００３９】
図６の説明に戻る。ステップＳ１３１で、「ラッキー方位検索」であると判断した場合は、ユーザ当人の個人情報を取得する（ステップＳ１３５）。このステップは例えば以下のように行う。記憶装置２３に予め携帯端末装置４の装置ＩＤに関連付けてユーザの個人情報が保存されている場合は、その個人情報を読み出す。記憶装置２３にユーザの個人情報が保存されていない場合は、携帯端末装置４に対し、個人情報（例えば生年月日）の入力を促す画面を表示させ、その画面上で入力された個人情報を受信する。
【００４０】
次に、取得された当人の個人情報と、時計２１４で生成された時計情報とを用いて占いＤＢ２３３にアクセスし、当人の当日のラッキー方位を調べ、検索方位を決定する（ステップＳ１３６）。以後の処理はランダム検索の場合と同じである。
【００４１】
ステップＳ１３１で、「相性から検索」であると判断した場合は、ユーザ当人及び相手の個人情報を取得する（ステップＳ１３８）。このステップは例えば以下のように行う。ユーザ当人の個人情報をステップＳ１３５と同じ手順で取得する。相手の個人情報については、携帯端末装置４に対し、相手の個人情報の入力を促す画面を表示させ、その画面上で入力された個人情報を受信する。
【００４２】
次に、取得された当人及び相手の個人情報と、時計２１４で生成された時計情報とを用いて占いＤＢ２３３にアクセスし、当人及び相手の当日のラッキー方位及びラッキージャンルを調べ、検索方位及び検索ジャンルを決定する（ステップＳ１３８）。以後の処理は「ラッキー方位検索」の場合と同じである。
【００４３】
以上説明したように、本実施形態の情報提供システムによれば、携帯端末装置４の現在位置からランダムな方位に存在する施設、或いは携帯端末装置４のユーザにとってラッキーな方位に存在する施設、或いは携帯端末装置４のユーザと任意の相手にとってラッキーな方位に存在する施設を検索して携帯端末装置４に表示するので、携帯端末装置４のユーザが目的地や検索ジャンルを入力しなくても、目的地や施設を検索し、ユーザに提示することができる。また、検索方位を限定するので、検索時間が短くなる。
【００４４】
なお、本実施形態について下記（１）〜（１２）のような変形が可能である。
（１）携帯端末装置４のユーザが歩いているか、又は自転車に乗っているか、又は自動車に乗っているか等に応じて、つまり携帯端末装置４の移動手段に応じて、携帯端末装置４の現在位置からの検索範囲（１ｋｍ、５ｋｍ等）を変化させる。携帯端末装置４の移動手段は、携帯端末装置４の画面上でユーザに入力させることもできるし、携帯端末装置４の現在位置の履歴に基づいて、移動速度を算出し、その移動速度から推定することもできる。
【００４５】
（２）ステップＳ１３６又はＳ１３６からステップＳ１３３へ進んだ場合、所定の基準として、占いＤＢ２３３から得られるラッキージャンルを用いる。
（３）携帯端末装置４のユーザ又はユーザ及び相手の生年月日と、血液型と、占う日とからラッキー方位を決定する。
【００４６】
（４）三人以上の相性からラッキー方位を決定する。
（５）気象情報を取得し、当日の天気に応じて、雨の日は屋内施設のみを検索し、晴れの日は屋外施設を優先的に検索する。
【００４７】
（６）携帯端末装置４へメールで通知する。
（７）図７のＳ１３６、Ｓ１３８において、複数の検索方位を決定する。
（８）図８の扇形領域２０２を携帯端末装置４のユーザ、又はユーザ及び相手のラッキーカラーで表示する。
（９）方位の分割数を可変にする。
【００４８】
（１０）携帯端末装置４がＧＰＳ受信機４２を備えていない場合、情報提供サービスを受ける時に現在位置を入力させることで、現在位置情報を取得する。
（１１）携帯端末装置４がＧＰＳ受信機４２を備えていない場合、基地局３が携帯端末装置４の位置登録情報を情報提供サーバ２へ送ることで、情報提供サーバ２が携帯端末装置４の現在位置情報を取得する。
【００４９】
（１２）携帯端末装置４の表示パネル４３に施設Ａの情報が表示されているとき、ユーザが様々な理由（例えば興味がない、口コミの評価が悪い等）により、施設Ａに行きたくない場合、画面上で再検索ボタンを押下することにより、情報提供サーバ２が再検索を行う。
このとき、ランダム検索であれば施設Ａ以外の施設が検索される可能性が高いが、占いを用いた検索の場合は、再び施設Ａが検索される可能性が高い。そこで、占いを用いた検索の場合は、施設Ａを表示し、再検索指示を受けたときは、施設Ａを次の検索対象或いは表示対象から除外する等の処理を行うこともできる。
【符号の説明】
【００５０】
２・・・情報提供サーバ、４・・・携帯端末装置、２１・・・制御部、２２・・・通信部、４１・・・制御部、４２・・・ＧＰＳ受信機、４４・・・無線通信部、４５・・・キー入力部、２１５・・・ランダム方位決定部、２３２・・・施設ＤＢ、２３３・・・占いＤＢ。
【図１】
2011013041.tif 000003
【図２】
2011013041.tif 000004
【図３】
2011013041.tif 000005
【図４】
2011013041.tif 000006
【図５】
2011013041.tif 000007
【図６】
2011013041.tif 000008
【図７】
2011013041.tif 000009
【図８】
2011013041.tif 000010